(57)【特許請求の範囲】
【請求項１】
扉を本体の開口を閉じる閉位置と開放する開位置とに切り換える構造に用いられるものであって、
前記扉を閉じる途中で駆動力を蓄積し、該蓄積された駆動力の一部で前記扉を前記閉位置に引き込み可能にし、残りの駆動力で前記扉を前記閉位置から開方向へ押し出し可能にする駆動手段と、
前記駆動手段の前記扉を前記閉位置から開方向へ押し出すための駆動力に抗して該扉を該閉位置に係止し、かつ前記扉の閉方向への押し操作により前記係止を解除する係止手段
とを備えていることを特徴とする開閉補助機構。
【請求項２】
前記駆動手段は、ハウジングと、前記ハウジングに回動可能に軸支されたキャッチャーと、前記ハウジング内に設けられた旋回溝と、前記キャッチャーの回動に連動して前記旋回溝に沿って摺動されるピン部材と、一端が前記ハウジング側に固定され他端が前記ピン部材に固定された付勢部材とからなることを特徴とする請求項１に記載の開閉補助機構。
【請求項３】
前記係止手段は、前記ハウジング側に摺動可能に配置されているロック部材と、前記ロック部材を付勢する付勢手段とを有し、前記ロック部材が前記付勢手段の付勢力により前記旋回溝の対応部に突出した状態で前記ピン部材を介して前記扉を係止し、前記付勢手段の付勢力に抗して退避した状態で前記係止を解除することを特徴とする請求項２に記載の開閉補助機構。
【請求項４】
前記キャッチャーは、前記扉に設けられたストライカーを摺動自在に嵌合する連結溝を有しており、前記旋回溝は、前記ピン部材を誘導して、前記付勢部材に前記駆動力を蓄積可能にする第１溝部と、前記扉を前記閉位置に引き込み可能にする第２溝部と、前記扉を前記閉位置から開方向へ押し出し可能にする第３溝部とを有していることを特徴とする請求項２又は３に記載の開閉補助機構。
【請求項５】
前記扉を前記蓄積した駆動力の一部で前記閉位置に引き込む際の扉引き込み速度を制動する緩衝手段を有していることを特徴とする請求項１から４の何れかに記載の開閉補助機構。
【請求項６】
前記扉が前記係止手段により係止されている閉位置で、前記係止手段の係止が振動により不用意に解除されないよう阻止する誤作動防止手段を有していることを特徴とする請求項１から５の何れからに記載の開閉補助機構。
【発明の詳細な説明】
【技術分野】
【０００１】
本発明は、扉を開閉する開閉機構のうち、特に扉を閉じる途中から閉位置まで自動的に引き込むようにした開閉補助機構に関する。
【背景技術】
【０００２】
特許文献１の開閉補助機構（ロック装置付きクローザー）は、扉（開き戸）の開閉方向へ向かって移動される移動部材と、扉を開方向に移動するときに弾性を蓄積し、該蓄積した弾性により前記移動部材を扉の閉方向へ移動させる弾性部材と、地震時に移動部材をロックすることで扉の開放を規制するロック手段と、前記移動部材に設けられて前記弾性部材に蓄積された弾性により扉を閉方向へ移動可能にするガイド部材とを備えている。作動特徴は、扉の開状態で弾性部材に弾性が蓄えられること、扉が閉じる途中から弾性部材に蓄えられた弾性により閉位置まで引き込まれること、該引き込み速度が制動されて扉をゆっくり閉位置に切り換えること、地震時にロック手段により扉の開放が規制されること、等にある。
【特許文献１】特開２００４−３５３４１７号公報
【発明の開示】
【発明が解決しようとする課題】
【０００３】
以上の開閉補助機構では、まず、ロック手段が地震時以外には作動しないため平時も扉を閉位置に係止（ロック）する場合はそのロック手段を別途必要となる。また、引き込み用弾性つまり駆動力を蓄えるため扉の開き時にばね力に抗して開操作しなくてはならず、また、駆動力の蓄積後の開操作時にはばね力が働かなくなるため操作感が大きく変化して、高級感に欠けたり違和感を与え易い。しかも、扉が閉位置から押し出されないため扉に操作用取ってが必要となる。なお、押し操作により扉を開方向へ押し出す機構としては、従来からマグネットラッチなどが知られているが、そのような機構は、扉を僅かに開き方向に押し出すだけであり、単に当該機構を追加しても、扉を引き込むための駆動力を蓄積できるものではない。
【０００４】
本発明の目的は、以上のような課題を解消して、扉を、駆動手段に蓄積した駆動力により閉じる途中から閉位置まで引き込むとともに、閉位置から開方向へ押し出すことにより操作性及び外観を向上することにある。他の目的は、通常時（及び地震時に共に）に作動する係止手段を標準装備することにより、高品質や高級感を経費を抑えて付与することにある。
【課題を解決するための手段】
【０００５】
上記目的を達成するため本発明の開閉補助機構は、扉を本体の開口を閉じる閉位置と開放する開位置とに切り換える構造に用いられるものであって、前記扉を閉じる途中で駆動力を蓄積し、該蓄積された駆動力の一部で前記扉を前記閉位置に引き込み可能にし、残りの駆動力で前記扉を前記閉位置から開方向へ押し出し可能にする駆動手段と、前記駆動手段の前記扉を前記閉位置から開方向へ押し出すための駆動力に抗して該扉を該閉位置に係止し、かつ前記扉の閉方向への押し操作により前記係止を解除する係止手段とを備えていることを特徴としている。
【０００６】
以上の開閉補助機構において、本体としては、収納本体、各種家具や棚などの収容部、各種装置本体などを含む。扉は、開き戸、リッド、カバーなどを含み、本体に対しヒンジ等を介して開口を閉じる閉位置と開口を開放する開位置とに切り換えられるものであればよい。駆動手段と係止手段は、作動連結ないしは連携されており、係止手段が扉を閉位置に係止し、該係止を扉の更なる閉方向への押し操作により係止解除すると、駆動手段に蓄積された駆動力のうち、該駆動力から引き込み用として使った残りの駆動力で扉を閉位置から開方向へ押し出すようにする。
【０００７】
以上の本発明は次のように具体化されることがより好ましい。すなわち、
（ア）請求項１において、前記駆動手段は、ハウジングと、前記ハウジングに回動可能に軸支されたキャッチャーと、前記ハウジング内に設けられた旋回溝と、前記キャッチャーの回動に連動して前記旋回溝に沿って摺動されるピン部材と、一端が前記ハウジング側に固定され他端が前記ピン部材に固定された付勢部材とからなる構成である（請求項２）。
（イ）請求項２において、前記係止手段は、前記ハウジング側に摺動可能に配置されているロック部材と、前記ロック部材を付勢する付勢手段とを有し、前記ロック部材が前記付勢手段の付勢力により前記旋回溝の対応部に突出した状態で前記ピン部材を介して前記扉Ｂを係止し、前記付勢手段の付勢力に抗して退避した状態で前記係止を解除する構成である（請求項３）
【０００８】
（ウ）請求項２又は３において、前記キャッチャーは、前記扉に設けられたストライカーを摺動自在に嵌合する連結溝を有しており、前記旋回溝は、前記ピン部材を誘導して、前記付勢部材に前記駆動力を蓄積可能にする第１溝部と、前記扉を前記閉位置に引き込み可能にする第２溝部と、前記扉を前記閉位置から開方向へ押し出し可能にする第３溝部とを有している構成である（請求項４）。
（オ）請求項１から４の何れかにおいて、前記扉を前記蓄積した駆動力の一部で前記閉位置に引き込む際の扉引き込み速度を制動する緩衝手段を有している構成である（請求項５）。
（カ）請求項１から５の何れかにおいて、前記扉が前記係止手段により係止されている閉位置で、前記係止手段の係止が振動により不用意に解除されないよう阻止する誤作動防止手段を有している（請求項６）。
【発明の効果】
【０００９】
請求項１の発明では、作動特徴として、駆動手段が扉を開から閉じる途中で駆動力を蓄えること、その蓄積された駆動力の一部で扉を閉位置まで引き込むこと、係止手段が扉を閉位置に係止し、該係止を扉の更なる閉方向への押し操作により係止解除すること、係止解除されると扉が残りの駆動力で開方向へ押し出される。これにより、本発明の開閉補助機構は、例えば、特許文献１に比べて機構の多機能化が実現されて扉の開閉操作性を向上し、扉の取ってが不要となり、通常時に作動する係止手段を標準装備しているため高品質や高級感などを付与できる。
【００１０】
請求項２の発明では、駆動手段がハウジング、キャッチャー、旋回溝、ピン部材、付勢部材にて構成されることから、簡明であり実施容易となる。これに対し、請求項３の発明では、係止手段がロック部材及び付勢手段からなることから簡明であり、またロック部材がピン部材を介して扉を係脱するため係止解除と同時に扉を押し出し可能となる。
【００１１】
請求項４の発明では、扉が駆動手段に対しストライカーのキャッチャー側連結溝への嵌合により確実に作動連結されること、旋回溝が第１溝部〜第３溝部で構成されて明確に役割分担されていること、等によって良好な作動を期待できる。
【００１２】
請求項５の発明では、扉が緩衝手段によりゆっくりと閉位置に引き込まれるため、扉の跳ね返りや衝突音をなくして高級感を付与できる。これに対し、請求項６の発明では、係止手段が地震等の振動を受けても誤作動防止手段によって不用意に係止解除しないため、安全性にも優れたものとなる。
【発明を実施するための最良の形態】
【００１３】
以下、本発明の好適な実施の形態を添付図面を参照して説明する。図１〜図１２は形態例の開閉補助機構を示している。このうち、図１は適用例を示し、図２から図５は開閉補助機構の全体構成を示し、図６はカバーを外した要部構成を示し、図７と図８はカバー側の構成を示し、図９〜図１２は作動を示している。各図では分かり易くするため一部を省略したり簡略化している。例えば、図９〜図１０ではカバーを外しかつ係止手段だけを示した。図１１ではカバーを外しかつ係止手段を想像線で示した。図１２ではカバーを外しかつ係止手段の一部を省いた。図１３〜図１７は変形例を示している。以下の説明では、形態例の機構特徴、その作動、変形例の順に詳述する。
【００１４】
（機構特徴）この形態の開閉補助機構は、図１に例示されるように、扉Ｂが不図示のヒンジ部を介して収納装置側本体Ａに回動可能に取り付けられて、収納装置側本体Ａの開口を閉じる閉位置と、該開口を開放する開位置とに切り換えられる構造に用いられるものであって、扉Ｂを閉じる途中で駆動力を蓄積し、該蓄積された駆動力の一部で扉Ｂを閉位置に引き込み可能にし、残りの駆動力で扉Ｂを閉位置から開方向へ押し出し可能にする駆動手段２と、駆動手段２の扉Ｂを閉位置から開方向へ押し出すための駆動力に抗して該扉を該閉位置に係止し、かつ扉Ｂの閉方向への押し操作により前記係止を解除する係止手段６とを備えている。
【００１５】
なお、この例では、前記開閉補助機構が本体Ａの収納空間を区画している上壁の内面側に取り付けられている。扉Ｂには、その開閉補助機構に対応部してストライカー７が設けられている。ストライカー７は、保持部７０の上面に立設されており、保持部７０の取付部７０ａを介して扉Ｂの内面側に装着された状態で、扉Ｂから所定寸法だけ離れかつ上向きに突出されている。
【００１６】
ここで、駆動手段２は、偏平なハウジング１と、ハウジング１に対し回動可能に軸支されているキャッチャー３と、ハウジング１内に設けられた旋回溝４と、キャッチャー３の回動に連動して旋回溝４，４Ａに沿って摺動されるピン部材５と、一端がハウジング１側に固定され他端がピン部材５に固定された付勢部材７１とからなる。
【００１７】
ハウジング１は、図６に示されるように、底壁１０の周囲が前壁１１と後壁１２及び左右の側壁１３，１４で区画された上開口の容器状をなし、上開口がカバー２０により閉じられる。前壁１１には、キャッチャー３を出没可能にする窓１１ａが設けられている。底壁１０には、窓１１ａの一部から後側に向かって切り欠かれた開口１０ａと、側壁１３の手前に突出されたばね係止用掛止部１０ｂと、略中央部に突出された略三角形のレバー受け用リブ１０ｃと、後壁１２の手前で左右略中間に突出されたＧセンサー用規制部１０ｄとが設けられている。また、底壁１０には、窓１１ａの一部と対向しかつ前壁１１の手前に位置してキャッチャー３を取り付ける取付部１５と、取付部１５の中心の取付孔と同心円上に配置された縦断面略コ形のガイド部１６と、規制部１０ｄの近くに位置して後述する応動部材２８を取り付ける取付部１７と、取付部１７の手前で左右方向に平行に延びているダンパー用挟持部１８とが設けられている。更に、底壁１０には、旋回溝４がガイド部１６の内側にあって、窓１１ａの先端縁側に対応部を接近した状態に設けられている。なお、符号１ａはハウジング１自体を本体Ｂ側に取り付ける複数の取付孔である。
【００１８】
すなわち、取付部１５にはキャッチャー３が回動可能に取り付けられる。このキャッチャー３は、概略平板状をなし、基端側に設けられて止め具５５を挿通する挿通孔３０と、先端外囲部に設けられてガイド部１６のコ形内に摺動自在に嵌合する段差部３１と、先端外周部の後側に突設されて後述するピストン式ダンパー９に当接する嘴状の突当部３２と、前側に設けられた略Ｌ形部分で区画されてストライカー７と摺動自在に嵌合する連結溝３３と、後側に沿って設けられてピン部材５を摺動自在に嵌合しているガイド溝３４と、突出部３２手前の上面に突設された押圧用凸部３５とを有している。そして、キャッチャー３は、取付部１５に対し後述するカバー２０の取付孔２５ａから挿通されるねじ等の止め具５５により枢支され、段差部３１をガイド部１６に嵌合した状態で水平方向に回動される。
【００１９】
この状態から、ガイド溝３４には、ピン部材５が片側の径大部から串差しかつ抜け止め状態に配置される。ピン部材５は、図５のごとくシャフト５０と、シャフト５０の上下部に係合されて対応する旋回溝４Ａ，４に嵌合する上筒５２及び下筒５３と、シャフト５０の軸周りに配置されて上筒５２及び下筒５３を離間方向に付勢しているスプリング５１と、上筒５２及び下筒５３の外周部分に装着された胴部材５４とからなる。胴部材５４は、底壁１０の旋回溝４とカバー２０の旋回溝４Ａとの間の寸法を保ち、かつガイド溝３４に対する嵌合部を形成している。そして、以上のピン部材５には付勢部材７１が接続される。付勢部材７１は、コイルばねなどであり、一端部が掛止部１０ｂに固定され、他端部がピン部材５に固定される。なお、ピン部材５は簡略化しても差し支えない。
【００２０】
取付部１７にはＧセンサ８の応動部材２８が揺動自在に取り付けられる。つまり、Ｇセンサ８は、応動部材２８と、応動部材２８を一方向に付勢している付勢ばね７３とからなる。応動部材２８は、一端部に装着された錘２９を有し、左右の略中間がねじ等の止め具５６により枢支されるとともに、コイル形の付勢ばね７３により逆時計回りの方向へ付勢されている。そして、通常時は、錘２９側の一端部が挟持部１８の側面に突出された突出部１８ａに当接した状態となっている。地震等の振動を受けた場合は、図１２のごとく一端側が規制部１０ｄに当たるまで付勢ばね７３の付勢力に抗して時計回りの方向へ回動される。
【００２１】
挟持部１８同士の間にはピストン式ダンパー９が配置されている。このダンパー９は、シリンダー９ａ及び該シリンダーに緩やかに出没されるピストンロッド９ｂを有し、ピストンロッド９ｂが対応壁に突き当てられ、かつ、シリンダー９ａが挟持部１８，１８同士の間に摺動可能に挟持された状態に配置されている。そして、ダンパー９は、図１１のごとくシリンダー９ａがキャッチャー３で押されると、ピストンロッド９ｂがシリンダー３５内に没しながらキャッチャー３の回動速度を制動して扉Ｂを緩やかに引き込むようにする。
【００２２】
一方、旋回溝４（４Ａ）は、底壁１０と共にカバー２０にも対向して設けられ、略ハート形又は三角形の島４０と該島４０より一回り大きなハート形又は三角形のリブとの間に区画されており、手前側から逆時計回りに第１溝部４１、第２溝部４２、第３溝部４３により構成されている。第１溝部４１は、窓１１ａの先端縁側に接近しており、ピン部材５を誘導して、付勢部材７１に駆動力（付勢力と同じ）を蓄積可能にする部分である。第２溝部４２は、ピン部材５を誘導して、扉Ｂを付勢部材７１に蓄積された駆動力の一部により閉位置に引き込み可能にする部分である。第３溝部４３は、付勢部材７１に蓄積された駆動力のうち、引き込みに使用した後の残りの駆動力により扉Ｂを閉位置から開方向へ押し出し可能にする部分である。
【００２３】
カバー２０は、図７及び図８に示されるように、周囲から下設した複数の連結片２１を有し、ハウジング１の上開口を覆った状態で各連結片２１をハウジング１側の対応する係止部などに係合し取り付けられている。この係合構造は、図４（ｂ）に例示されるごとくハウジング１側に設けられた爪部１ｂに対し連結片２１の係合穴２１ａを係脱するものである。カバー２０には、中央部に略矩形の開口２２が設けられ、該開口２１に対応して係止手段６が付設されているとともに、ハウジング側旋回溝４と対向して設けられた旋回溝４Ａと、ハウジング側取付部１５と対向して設けられた取付部２５及び上記止め具５５を挿通するに挿通孔２５ａと、レバー用取付部２６とが設けられている。
【００２４】
このうち、係止手段６は、扉Ｂをピン部材５を介して閉位置に係止するもので、ピン部材５に係脱するロック部材６０と、ロック部材６０を付勢する付勢手段としての付勢ばね７２と、ロック部材６０を付勢ばね７２の付勢力に抗して係止解除方向へ移動可能にするレバー６５とからなる。ロック部材６０は、矩形板部６１と、板部６１の下面中間部に設けられて板部から突出されている爪部６２と、板部６１のうち爪部６２の突出方向と反対側の端面に突出されている軸部６３と、板部６１の下面側にあって軸部６３の手前に設けられた凹部６４とを有している。そして、ロック部材６０は、板部６１がカバー内面側にあって開口２１の両側に設けられた断面コ形の受け部２３に対し摺動可能に嵌合保持され、また、付勢ばね７２が軸部６３と開口２１側に設けられた軸部２４とに支持されるよう配置されることにより、通常は旋回溝４，４Ａの第３溝部４３方向に付勢されている。
【００２５】
一方、レバー６５は、基端側に設けられた取付孔６６と、先端側の上面に突設された軸部６７とを有している。そして、レバー６５は、取付部２６に対し取付孔６６から通通されるねじ等の止め具２７を介して回動可能に枢支されている。レバー６５は、その枢支状態で軸部６７が凹部６４に摺動可能に嵌合され、それによりロック部材６０に対し作動連結されている。すなわち、レバー６５は、図１１のごとく扉Ｂが閉位置に係止されている状態から、更に閉方向へ押操作されると、同方向へ回動されるキャッチャー側の凸部３５で時計回りの方向へ押され、その結果、ロック部材６０を軸部６７及び凹部６４の作動連結を介し、かつ付勢ばね７２の付勢力に抗して係止解除方向つまり後退させる。この場合、レバー６５は、リブ１０ｃの対応部に先端側を下から支持されながらスムースに回動される。
【００２６】
（作動）以上の開閉補助機構の動作を図１と図６及び図９〜図１２により説明する。
（ア）この開閉補助機構において、ストライカー７がキャッチャー３に作動連結していない状態では、図６及び図９に示すごとくピン部材５がキャッチャー側ガイド溝３４を通って旋回溝４（４Ａ）のうち第１溝部４１の基端側に嵌合し、その状態が付勢部材７１の最小の付勢力で保たれている。キャッチャー３は、連結溝３３を形成している手前側部分がハウジング側窓１１ａから外へ突出されている。係止手段６は、ロック部材６０が付勢ばね７２の付勢力で旋回溝側へ移行され、爪部６２の先端が第３溝部４３のうち、第２溝部４２との境目付近に突出していて、仮にピン部材５が第１溝部４１から第２溝部４２を通って移行してきたとしても爪部６２に当たって規制される係止状態となっている。Ｇセンサ８は、応動部材２８が付勢ばね７１の付勢力で回動されて、錘２９側の一端部が挟持部側突出部１８ａに当接した非検知状態となっている。ダンパー９は、シリンダー９ａからピストンロッド９ｂを最大まで突出した初期状態となっている。
【００２７】
（イ）扉Ｂが図９から更に閉方向へ押し操作されると、ストライカー７がキャッチャー側の対応端面から連結溝３３内に移行してギャッチャー３と作動連結され、キャッチャー３の止め具５５を支点とした逆時計回り方向への回動を伴って、ストライカー７が開口１０ａを通ってハウジング１内に入り込む。ピン部材５は、キャッチャー３の回動によりガイド溝３４から反力を受けながら該ガイド溝３４に沿って摺動するとともに、第１溝部４１の基端から第２溝部４２側に向かってトレースする。これにより、開閉補助機構の主要部である駆動手段２は、ピン部材５の変位量に応じて付勢部材７１に駆動力を蓄積する。蓄積される駆動力は、図１０のごとくピン部材５が第１溝部４１のうち第２溝部４２の手前に達したときに最大つまり付勢部材７１の全寸が最も長くなる。
【００２８】
（ウ）扉Ｂが図１０の位置まで押し操作されると、キャッチャー３の突当部３２がダンパー側シリンダー９ａの端部に当接するとともに、ピン部材５が第２溝部４２に入る。すると、この駆動手段２では、図１１のごとくピン部材５が付勢部材７１に蓄積された駆動力の一部によりロック部材側の爪部６２に当たって規制されるまでキャッチャー３の回動を伴って第２溝部４２に沿ってトレースする。これにより、扉Ｂは、キャッチャー３の回動、及びストライカー７と連結溝３３との作動連結を介して閉位置まで自動的に引き込まれ、その閉状態が爪部６２に対するピン部材５の係止により保持される。この場合、扉Ｂは、キャッチャー側突当部３２がシリンダー９ａを押してダンパー９により制動されながらゆっくりと引き込まれることになる。このため、この開閉補助機構では、開から閉位置への切り換えに伴う扉Ｂのバウンドや衝突音を確実に解消できる。
【００２９】
（エ）扉Ｂを再び開く場合は図１１の状態から扉Ｂを更に閉方向へ押す。すると、キャッチャー３は、その押圧力によりストライカー７と連結溝３３との作動連結を介して更に同方向へ回動し、その結果、キャッチャー側凸部３５が係止手段側のレバー６５を時計回りの方向へ押す。すると、レバー６５は止め具２７を支点として時計回りの方向へ回動される。同時に、ロック部材６０は、軸部６７及び凹部６４の作動連結を介して、付勢ばね７２の付勢力に抗しながら旋回溝４Ａから離れる方向へ摺動されてピン部材５に対する係止を解除する。ピン部材５は、係止解除されると、前記付勢部材７１に蓄積された駆動力のうち、前記引き込み用として使用した残りの駆動力で引っ張られて図１１の係止位置から第３溝部４３に沿って、図９の初期状態である第１溝部４１の基端までトレースする。これにより、扉Ｂは、キャッチャー３の回動、及びストライカー７と連結溝３３との作動連結を介して図９の開角度まで自動的に押し出される。図９の押し出し状態では、ストライカー７が連結溝３３から嵌合解除されており、以降は扉Ｂと本体Ａとの間に形成される隙間を利用して扉Ｂを更に開方向へ回動操作することになる。このため、この開閉補助機構では、扉Ｂを閉位置への押し操作により係止手段６の係止を解除し、かつ扉Ｂを閉位置から開方向へ所定角だけ押し出すことから、使い勝手を向上できるとともに、扉Ｂの取っ手を省いて外観見栄えも向上できる。
【００３０】
（オ）図１２は扉Ｂが図１１の閉位置に係止されている状態で振動を受けたときの作動を示している。すなわち、この開閉補助機構では、地震等のごとく外部から予期しない振動、特に振動として扉Ｂを開く方向の荷重が加わると、上記したＧセンサ８がその荷重を検出し、応動部材８が図１１の状態から図１２のごとく付勢ばね７３の付勢力に抗して時計回りの方向へ回動される。そして、応動部材８は、一端側が規制部１０ｄに当接し、他端がキャッチャー側の突当部３２と対向した状態となり、上記したロック部材６０の係止解除への切り換えを不能にする。具体的には、応動部材８がキャッチャー３の逆時計回りの方向への回動を阻止し、その結果、上記した凸部３５によるレバー６５の押圧回動を防いで、ロック部材６を係止状態に保つ。換言すると、この開閉補助機構では、扉Ｂが付勢部材７１の駆動力の一部により閉方向への回動途中から閉位置まで引き込まれ、引き込み完了と同時に係止手段６により閉位置で不用意に開かないよう係止されることに加え、振動が加わったときＧセンサ８により係止手段６の誤作動を防止して閉位置に保持されるため安全性からも優れている。
【００３１】
（変形例）この変形例は、図１３〜図１７に示したように、上記形態に対しハウジング形状及び各部材の配置を変更したり、ダンパー構成を変更したり、Ｇセンサを省略した一例である。また、図１３は図２に対応して示し、図１４は全体の概略構成を示し、図１５〜図１７は図９〜図１１に対応して示している。以下の説明では、上記形態と作用的に同じ部材及び部位に同一符号を付し、上記形態と異なる部材に新たな符号を付けることで重複した記載を極力省くことにする。
【００３２】
変形例の開閉補助機構は、扉Ｂが収納装置側本体Ａの開口を閉じる閉位置と、該開口を開放する開位置とに切り換えられる構造に用いられるものであって、扉Ｂを閉じる途中で駆動力を蓄積し、該蓄積された駆動力の一部で扉Ｂを閉位置に引き込み可能にし、残りの駆動力で扉Ｂを閉位置から開方向へ押し出し可能にする駆動手段２と、駆動手段２の扉Ｂを閉位置から開方向へ押し出すための駆動力に抗して該扉を該閉位置に係止し、かつ扉Ｂの閉方向への押し操作により前記係止を解除する係止手段６とを備えている。また、駆動手段２は、上開口がカバー２０で閉じられるハウジング１と、ハウジング１に対し回動可能に軸支されているキャッチャー３と、ハウジング１内に設けられた旋回溝４，４Ａと、キャッチャー３の回動に連動して旋回溝４，４Ａに沿って摺動されるピン部材５と、一端がハウジング１側に固定され他端がピン部材５に固定された付勢部材７１とからなる。また、係止手段６は、扉Ｂをピン部材５を介して閉位置に係止するもので、ピン部材５に係脱するロック部材６０と、ロック部材６０を付勢する付勢手段としての付勢ばね７２と、ロック部材６０を付勢ばね７２の付勢力に抗して係止解除方向へ移動可能にするレバー６５とからなる。これらは上記形態と同じである。主な変更点は次のような構成にある。
【００３３】
変形例の開閉補助機構では、ピストン式ダンパー９を有しているが、キャッチャー３に対し第１スライダー４５及び第２スライダー４６を介して制動する。このため、ハウジング１の底壁１０は、図１４に示されるように、ストライカー７をハウジング内に挿入可能にする開口１０ａと、付勢部材７１の対応端部を掛け止める不図示のばね係止用掛止部と、キャッチャー３を取り付ける取付部１５と、ダンパー用対の挟持部１８ａと、旋回溝４とに加え、挟持部１８ａと旋回溝４との間にあって両内側付近に立設されている支持部１９，１９と、両支持部１９の内側に設けられている第１案内溝１０ｅ，１０ｅと、第１案内溝１０ｅと第１案内溝１０ｅとの間に傾斜した状態に設けられている第２案内溝１０ｆとを有している。
【００３４】
両第１案内溝１０ｅには第１スライダー４５が前後動自在に嵌合され、第２案内溝１０ｆには第２スライダー４６が対応する凸部４６ａを介して前後動自在に嵌合される。第１スライダー４５及び第２スライダー４６は、そのように対応する案内溝に配置された状態で、両側の支持部１９，１９に取り付けられる保護板４７により抜け止めされる。なお、保護板４７は、各支持部１９に対する両側の取付部４７ａと、内面に設けられて第２案内溝１０ｆと対向している案内溝４７ｂとを有している。このため、第２スライダー４６は、上下の凸部４６ａが第２案内溝１０ｆと案内溝４７ｂとに嵌合された状態で、前側から斜め後側へ摺動される。
【００３５】
そして、変形例の開閉補助機構でも、上記したＧセンサ８に関連する作動を除いて、上記（ア）〜（エ）の作動が同様に当てはまる。但し、上記（ウ）では次のように変更される。すなわち、扉Ｂが図１６の位置まで押し操作されると、キャッチャー３の突当部３２ａが第２スライダー４６に当たった後、該第２スライダー４６及び第１スライダー４５の後方への摺動を伴ってダンパー側シリンダー９ａの端部に当接するとともに、ピン部材５が第２溝部４２に入る。すると、この駆動手段２では、図１７のごとくピン部材５が付勢部材７１に蓄積された駆動力の一部によりロック部材側の爪部６２に当たって規制されるまでキャッチャー３の回動を伴って第２溝部４２に沿ってトレースする。これにより、扉Ｂは、キャッチャー３の回動、及びストライカー７と連結溝３３との作動連結を介して閉位置まで自動的に引き込まれ、その閉状態が爪部６２に対するピン部材５の係止により保持される。この場合、扉Ｂは、キャッチャー側突当部３２ａが第２スライダー４６及び第１スライダー４５を介してシリンダー９ａを押してダンパー９により制動されながらゆっくりと引き込まれる。
【００３６】
なお、以上のように本発明は、請求項で特定される要件を除き種々変形可能なものである。その一例としては、変形例を更に簡略化するためダンパー９に関連する構成を省略することである。
【図面の簡単な説明】
【００３７】
【図１】（ａ）は本発明の適用例を示す説明図、（ｂ）は開閉補助機構を示す概略外観図である。
【図２】図１の開閉補助機構を上から見た平面図である。
【図３】図１の開閉補助機構を下から見た底面図である。
【図４】（ａ）は図２のＡ−Ａ線断面図、（ｂ）は図２の右側面図である。
【図５】（ａ）は図２のＢ−Ｂ線断面図、（ｂ）は（ａ）のＣ部拡大図である。
【図６】（ａ）は図２のハウジングからカバーを外した状態での平面図である。
【図７】（ａ）は前記カバーを示す平面図、（ｂ）は該カバーを反転したカバー裏面側を示す図である。
【図８】（ａ）と（ｂ）は係止手段を構成しているレバー又はロック部材の概略斜視図、（ｃ）は係止手段の作用を示す模式図である。
【図９】上記開閉補助機構に駆動力を蓄積する初期状態を示す模式作動図である。
【図１０】図９の態様から駆動力を最大まで蓄積した状態を示す模式作動図である。
【図１１】図１０の態様から扉を駆動力で引き込んだ状態を示す模式作動図である。
【図１２】図１１の態様で振動が加わったときの状態を示す模式作動図である。
【図１３】上記開閉補助機構の変形例を図２に対応して示す平面図である。
【図１４】図１３の開閉補助機構の部材関係を示す概略分解図である。
【図１５】図１３の開閉補助機構を図９に対応して示す模式作動図である。
【図１６】図１５の態様から駆動力を最大まで蓄積した状態を示す模式作動図である。
【図１７】図１６の態様から扉を駆動力で引き込んだ状態を示す模式作動図である。
【符号の説明】
【００３８】
１…ハウジング（２０はカバー）
２…駆動手段
３…キャッチャー（３３は連結溝、３４はガイド溝）
４，４Ａ…旋回溝（４０は島、４１は第１溝部、４２は第２溝部、４３は第３溝部）
５…ピン部材（５０はシャフト、５１はスプリング、５４は胴部材）
６…係止手段（６０はロック部材、６５はレバー）
７…ストライカー（７０は保持部、７０ａは取付部）
８…Ｇセンサ（誤作動防止手段、２８は応動部材、２９は錘）
９…ピストン式ダンパー（緩衝手段、９ａはシリンダー、９ｂはピストンロッド）
７１…付勢部材
７２…付勢ばね（付勢手段）
７３…付勢ばね
Ａ…本体
Ｂ…扉
【図１】
0004966883.tif 000002
【図２】
0004966883.tif 000003
【図３】
0004966883.tif 000004
【図４】
0004966883.tif 000005
【図５】
0004966883.tif 000006
【図６】
0004966883.tif 000007
【図７】
0004966883.tif 000008
【図８】
0004966883.tif 000009
【図９】
0004966883.tif 000010
【図１０】
0004966883.tif 000011
【図１１】
0004966883.tif 000012
【図１２】
0004966883.tif 000013
【図１３】
0004966883.tif 000014
【図１４】
0004966883.tif 000015
【図１５】
0004966883.tif 000016
【図１６】
0004966883.tif 000017
【図１７】
0004966883.tif 000018